(57)【要約】      （修正有）【課題】加工作業により発生する振動の程度に応じて振動を吸収できるタップホルダを提供する。【解決手段】調整式タップホルダは、ホルダ本体１０及び緩和機構２０を有し、ホルダ本体は、一端に組立部１３が設けられ、組立部の中心に収容穴１３１が凹設され、収容穴の底面に当接面１３１１が設けられると共に、収容穴の底面の中心に、収容穴と連通する設置穴１３３が凹設される。緩和機構２０は、ホルダ本体の内部に嵌設されると共に、弾性部材２１及び緩和部材２２を備え、弾性部材は、設置穴に設置される複数の皿バネを備え、緩和部材は、皿バネが当接するように設置穴に嵌設されると共に、第二軸部２２３を備え、第二軸部が組立部の固定穴１３２に突出し、加工作業により発生する振動を吸収する。【選択図】図３
0003203456.tif 000002
【実用新案登録請求の範囲】
【請求項１】
一端に組立部が設けられ、該組立部の中心に収容穴が凹設され、該収容穴の底面に当接面が設けられると共に、該収容穴の底面の中心に、収容穴と連通する設置穴が凹設される、ホルダ本体と、
前記ホルダ本体の内部に嵌設されると共に、弾性部材及び緩和部材を備え、そのうち、該弾性部材は、前記設置穴に設置される複数の皿バネを備え、該緩和部材は、皿バネが当接するように設置穴に嵌設されると共に、第二軸部を備え、該第二軸部が組立部の固定穴に突出する、緩和機構を有することを特徴とする調整式タップホルダ。
【請求項２】
前記緩和部材の比重がホルダ本体よりも大きいことを特徴とする請求項１に記載の調整式タップホルダ。
【請求項３】
前記緩和部材は、皿バネが当接する当接凸縁を備え、該当接凸縁の外周面に収容溝が形成され、該収容溝にオーリングが嵌設され、該オーリングが設置穴の内周面に当接することを特徴とする請求項２に記載の調整式タップホルダ。
【請求項４】
前記緩和部材における、第二軸部と反対する端に第一軸部が設けられ、該第一軸部はそれらの皿バネを貫くことを特徴とする請求項３に記載の調整式タップホルダ。
【請求項５】
前記設置穴の底面の中心に位置決め穴が凹設され、
前記緩和部材の第一軸部がそれらの皿バネを貫いて組立部の位置決め穴に挿し込まれることを特徴とする請求項４に記載の調整式タップホルダ。
【請求項６】
前記組立部における収容穴と設置穴の間に固定穴が形成され、
前記緩和機構は、位置決め部材を備え、該位置決め部材の中心に貫通穴が形成され、
前記位置決め部材は、貫通穴を介して緩和部材の第二軸部に環装されると共に、緩和部材の当接凸縁に当接するように固定穴に取り付けられることを特徴とする請求項５に記載の調整式タップホルダ。
【請求項７】
前記固定穴の内周面にネジ山が設けられると共に、前記位置決め部材の外周面にネジ山が設けられ、それらのネジ山によって位置決め部材が固定穴に螺合されることを特徴とする請求項６に記載の調整式タップホルダ。
【請求項８】
前記弾性部材が４つの皿バネを備えることを特徴とする請求項７に記載の調整式タップホルダ。
【請求項９】
前記緩和部材がタングステン合金からなることを特徴とする請求項８に記載の調整式タップホルダ。
【請求項１０】
前記緩和部材は、皿バネが当接する当接凸縁を備え、該当接凸縁の外周面に収容溝が形成され、該収容溝にオーリングが嵌設され、該オーリングが設置穴の内周面に当接することを特徴とする請求項１に記載の調整式タップホルダ。
【考案の詳細な説明】
【技術分野】
【０００１】
本考案は、特に加工作業により発生する振動の程度に応じて振動を吸収することができるタップホルダに関するものである。
【背景技術】
【０００２】
図７に示すように、既存のタップホルダ９０は、ホルダ本体９１と、緩和部材９２と、固定チューブ９３と、止めリング９４と、チャック９５と、刃具９６と、蓋部９７とを有し、そのうち、ホルダ本体９１における一端面の中心に大径の収容穴９１１が凹設され、該収容穴９１１の底面の中心に小径の位置決め穴９１２が凹設され、該緩和部材９２は、可撓性を備える材質からなると共に、位置決め穴９１２に嵌設され、該固定チューブ９３は、内端が緩和部材９２に当接するように収容穴９１１に挿設され、該止めリング９４は、固定チューブ９３に環装されると共に、ホルダ本体９１に取り付けられ、また、複数の止めリング部材９４１を備え、それらの止めリング部材９４１は固定チューブ９３に挟持され、該チャック９５は、一端が固定チューブ９３に嵌め込まれ、該刃具９６は、チャック９５に挿設され、該蓋部９７は、チャック９５をカバーするように固定チューブ９３に取り付けられる。
このような構成の既存のタップホルダ９０は、可撓性の緩和部材９２により加工により発生する振動を吸収できることから、被加工物を精確に加工できると共に、加工による騒音を低減でき、更には、刃具の使用寿命を延ばすことができる。
【考案の概要】
【考案が解決しようとする課題】
【０００３】
しかしながら、その緩和部材が加工作業により発生する振動の程度に応じて調整できないと共に、加工の仕方が変わっても同一の振動吸収能力しかないので、適応性に劣り、さらに、既存のタップホルダの緩和部材は、その殆どが振動の吸収能力に優れるポリウレタンからなるが、使用時間が長ければ長いほど、ポリウレタンに劣化や硬化が発生し、振動の緩和効果が低下してしまうので、既存のタップホルダの振動吸収装置を改良する必要があった。
【課題を解決するための手段】
【０００４】
本考案に係る調整式タップホルダは、
一端に組立部が設けられ、該組立部の中心に収容穴が凹設され、該収容穴の底面に当接面が設けられると共に、該収容穴の底面の中心に、収容穴と連通する設置穴が凹設される、ホルダ本体と、
前記ホルダ本体の内部に嵌設されると共に、弾性部材及び緩和部材を備え、そのうち、該弾性部材は、前記設置穴に設置される複数の皿バネを備え、該緩和部材は、皿バネが当接するように設置穴に嵌設されると共に、第二軸部を備え、該第二軸部が組立部の固定穴に突出する、緩和機構を有するものである。
【０００５】
かかる調整式タップホルダにおいて、前記緩和部材の比重がホルダ本体よりも大きいことが好ましい。
【０００６】
かかる調整式タップホルダにおいて、
前記緩和部材は、皿バネが当接する当接凸縁を備え、該当接凸縁の外周面に収容溝が形成され、該収容溝にオーリングが嵌設され、該オーリングが設置穴の内周面に当接することが好ましい。
【０００７】
かかる調整式タップホルダにおいて、前記緩和部材における、第二軸部と反対する端に第一軸部が設けられ、該第一軸部はそれらの皿バネを貫くことが好ましい。
【０００８】
かかる調整式タップホルダにおいて、
前記設置穴の底面の中心に位置決め穴が凹設され、
前記緩和部材の第一軸部がそれらの皿バネを貫いて組立部の位置決め穴に挿し込まれることが好ましい。
【０００９】
かかる調整式タップホルダにおいて、
前記組立部における収容穴と設置穴の間に固定穴が形成され、
前記緩和機構は、位置決め部材を備え、該位置決め部材の中心に貫通穴が形成され、
前記位置決め部材は、貫通穴を介して緩和部材の第二軸部に環装されると共に、緩和部材の当接凸縁に当接するように固定穴に取り付けられることが好ましい。
【００１０】
かかる調整式タップホルダにおいて、前記固定穴の内周面にネジ山が設けられると共に、前記位置決め部材の外周面にネジ山が設けられ、それらのネジ山によって位置決め部材が固定穴に螺合されることが好ましい。
【００１１】
かかる調整式タップホルダにおいて、前記弾性部材が４つの皿バネを備えることが好ましい。
【００１２】
かかる調整式タップホルダにおいて、前記緩和部材がタングステン合金からなることが好ましい。
【００１３】
かかる調整式タップホルダにおいて、
前記緩和部材は、皿バネが当接する当接凸縁を備え、該当接凸縁の外周面に収容溝が形成され、該収容溝にオーリングが嵌設され、該オーリングが設置穴の内周面に当接することが好ましい。
【考案の効果】
【００１４】
前記構造によれば、本考案に係る調整式タップホルダには、以下に示すようなメリットを有する。
本考案に係る調整式タップホルダは、ホルダ本体の内部に緩和機構を有することから、加工により発生する振動を吸収することができる。また、その緩和機構は、複数の皿バネを有し、実際の需要に応じて、皿バネの数量または規格を自由に変更可能であることから、振動または衝撃に耐え得る程度に調整でき、また、ネジ切りの規格が異なる場合にも精確に調整して適応させることができる。
また、その緩和機構の緩和部材は、弾性部材と固定チューブとの間に設置されることから、ネジ切り加工による振動を吸収して緩和することができるので、本考案に係る調整式タップホルダの使用寿命を大幅に延ばすことができる。
その緩和機構の緩和部材は、比重がホルダ本体よりも大きい材質からなることから、振動吸収性を大幅に向上させて、弾性部材が受ける負担を減らせるので、皿バネの使用寿命も延ばすことができる。
【図面の簡単な説明】
【００１５】
【図１】本考案に係る本実施例の斜視図である。
【図２】本考案に係る本実施例の部分断面斜視図である。
【図３】本考案に係る本実施例の部分分解斜視図である。
【図４】本考案に係る本実施例の部分断面図である。
【図５】本考案に係る本実施例の他の部分断面図である。
【図６】本考案に係る他の実施例の部分断面図である。
【図７】既存のタップホルダの部分断面図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１乃至図３に示すように、本考案に係る調整式タップホルダは、ホルダ本体１０と、緩和機構２０と、固定チューブ３０と、止めユニット４０と、チャック５０と、刃具６０と、蓋部材７０を有し、そのうち、該緩和機構２０は、ホルダ本体１０の内部に取り付けられ、該固定チューブ３０は、ホルダ本体１０に装設され、該止めユニット４０は、固定チューブ３０に環装されるようにホルダ本体１０に取り付けられ、該チャック５０は、固定チューブ３０に嵌め込まれ、該刃具６０は、チャック５０に挿設され、該蓋部材７０は、チャック５０の脱落を防ぐために固定チューブ３０に取り付けられる。
【００１８】
図１乃至図３に示すように、前記ホルダ本体１０の一端に装設部１１が設けられると共に、他端に組立部１３が設けられ、該装設部１１と組立部１３との間にフランジ１２が凸設され、該組立部１３の中心に収容穴１３１が凹設され、該収容穴１３１の底面に当接面１３１１が設けられ、該収容穴１３１における当接面１３１１の中心に固定穴１３２が凹設され、該固定穴１３２の内周面にネジ山が設けられ、該固定穴１３２の底面の中心に設置穴１３３が凹設され、該設置穴１３３の底面の中心に位置決め穴１３４が凹設され、更に、該組立部１３の外周面の相対する箇所にそれぞれ第一貫通穴１３５が径方向に形成され、該組立部１３の外周面の対応する他の箇所にそれぞれ第二貫通穴１３６が径方向に形成され、それらの第一貫通穴１３５と第二貫通穴１３６は、収容穴１３１と連通するように、交互に等角度で配置され、該組立部１３の外周面に環状溝１３７が凹設される。
【００１９】
図２乃至図４に示すように、前記緩和機構２０は、ホルダ本体１０の組立部１３に嵌設され、弾性部材２１と、緩和部材２２と、オーリング２３と、位置決め部材２４を備え、  そのうち、弾性部材２１は、設置穴１３３に設置される。
尚、本実施例における弾性部材２１は、図４に示すように、２対の皿バネがそれぞれ対応して配置されてもよく、図６に示すように、３対の皿バネがそれぞれ対応して配置されてもよい。
更に、本実施例における弾性部材２１は、複数の皿バネを有すればよく、実際の需要に応じて、数量や規格を自由に変更しても構わない。この構成によれば、それらの皿バネの数量や規格を適当に変更すれば、加工により発生する振動や衝撃に耐え得る程度に調整することができ、また、ネジ切りの規格が異なる場合にも精確に調整して適応させることができる。
【００２０】
前記緩和部材２２は、比重がホルダ本体１０よりも大きい材質からなると共に、当接凸縁２２１を備え、該当接凸縁２２１の外周面に収容溝２２１１が形成され、該当接凸縁２２１の一端に第一軸部２２２が設けられると共に、該当接凸縁２２１の他端に第二軸部２２３が設けられ、そのうち、第二軸部２２３の先端面に第二軸部端面２２３１が設けられる。
尚、本実施例における緩和部材２２は、タングステン合金からなってもよく、タングステン重合金からなってもよい。さらに、前記緩和部材２２は設置穴１３３に嵌設されると共に、その第一軸部２２２が２対の皿バネを貫設して組立部１３の位置決め穴１３４に挿し込まれ、当接凸縁２２１は、皿バネが当接しながら設置穴１３３に位置すると共に、第二軸部２２３は、組立部１３の固定穴１３２側に突出し、第二軸部２２３の第二軸部端面２２３１と収容穴１３１の当接面１３１１との間に隙間Ｇが形成され、前記オーリング２３は、設置穴１３３の内周面に当接するように、当接凸縁２２１の収容溝２２１１に嵌設される。
【００２１】
図２乃至図４に示すように、前記位置決め部材２４の外周面にネジ山が設けられ、中心に貫通穴２４１が形成され、該貫通穴２４１を介して緩和部材２２の第二軸部２２３に環装され、また、該ネジ山により緩和部材２２の当接凸縁２２１に当接するように固定穴１３２に螺合される。
【００２２】
図３乃至図５に示すように、前記固定チューブ３０は、一端に挟持部３１が設けられると共に、他端に固定部３２が設けられ、中心に固定部３２側から挟持部３１側へ行くにつれて内径が縮小するテーパー状の挿設穴３３が形成され、該挟持部３１は、一側に挟持部端面３１１が設けられ、その外周面における相対する箇所にそれぞれ挟持部端面３１１と連通する第一凹部３１２が凹設され、その外周面における相対する他の箇所にそれぞれ第二凹部３１３が凹設され、その２つの第一凹部３１２及び２つの第二凹部３１３が交互に等角度で配置され、前記固定部３２の外周面にネジ山が設けられる。
また、前記固定チューブ３０は、挟持部３１が緩和部材２２の第二軸部２２３に当接するように、組立部１３の収容穴１３１に挿設され、該挟持部３１の挟持部端面３１１が第二軸部２２３の第二軸部端面２２３１に当接されると共に、該挟持部３１の挟持部端面３１１と組立部１３の収容穴１３１の当接面１３１１との間に隙間Ｇが形成され、挟持部３１の第一凹部３１２は、組立部１３の第一貫通穴１３５と対応するように配置され、挟持部３１の第二凹部３１３は、組立部１３の第二貫通穴１３６と対応するように配置される。
【００２３】
図４及び図５に示すように、前記止めユニット４０は、４つの止め部材４１と、リング部材４２と、圧縮バネ４３と、位置決め部材４４と、環部材４５を備え、その内、それらの止め部材４１は、球形を呈し、それぞれ第一貫通穴１３５及び第二貫通穴１３６に配置され、該２つの止め部材４１は、第一貫通穴１３５を通過して挟持部３１の第一凹部３１２に当接されると共に、他の２つの止め部材４１は、第二貫通穴１３６を通過して挟持部３１の第二凹部３１３に当接され、該リング部材４２は、リング本体４２１及び当接凸縁４２２を備え、該リング本体４２１は筒状を呈し、該当接凸縁４２２は、リング本体４２１の内周面の中央に凸設される。
また、前記止めユニット４０は、組立部１３に環装され、前記圧縮バネ４３の一端は、リング部材４２の当接凸縁４２２に当接するように、リング部材４２の内部に位置しながら組立部１３に環装され、該位置決め部材４４は、環状を呈し、圧縮バネ４３の他端に当接するように組立部１３に環装され、該環部材４５は、位置決め部材４４に当接するように組立部１３の環状溝１３７に嵌合される。
【００２４】
図２乃至図４に示すように、前記チャック５０は、固定チューブ３０の挿設穴３３に挿設され、また、前記刃具６０における一端に、チャック５０に挿設される挿設端６１が設けられると共に、他端に加工に用いる切削端６２が設けられ、前記蓋部材７０は、円筒状を呈し、その一側の内周面に結合部７１が設けられると共に、他側の中心に穴部７２が形成され、該蓋部材７０は、穴部７２に刃具６０の切削端６２を通過させるように、固定チューブ３０の固定部３２に螺合される。
【００２５】
本考案に係る調整式タップホルダは、ホルダ本体１０の組立部１３の設置穴１３３に、緩和機構２０の弾性部材２１及び緩和部材２２が設置されることから、その弾性部材２１及び緩和部材２２によって、加工により発生する振動や衝撃を吸収して緩和することができる。また、その弾性部材２１は、実際の需要に応じて、皿バネの数量や規格を適当に変更できることから、振動に耐え得る能力を自由に調整することができ、該緩和部材２２は、弾性部材２１と固定チューブ３０との間に配置されると共に、比重がホルダ本体１０よりも大きい材質からなることから、弾性部材２１と共にタッピング加工により発生する振動を吸収することができる。
【００２６】
本考案に係る調整式タップホルダは、既存の、一枚の緩和部材しか有しないタップホルダに比べると、その振動吸収性を向上できると共に、実際の加工状況に応じて適当に耐震の程度を細かく精確に調整することができる。さらに、本実施例における緩和部材２２は、比重がホルダ本体１０よりも大きい材質からなり、タングステン合金やタングステン重合金からなってもよいことから、既存のタップホルダ９０の緩和部材９２に比べると、ポリウレタンからなる緩和部材９２のように劣化や硬化などの問題を有しないので、優れた緩和効果を提供できる。
【符号の説明】
【００２７】
１０  ホルダ本体
１１  装設部
１２  フランジ
１３  組立部
１３１  収容穴
１３１１  当接面
１３２  固定穴
１３３  設置穴
１３４  位置決め穴
１３５  第一貫通穴
１３６  第二貫通穴
１３７  環状溝
２０  緩和機構
２１  弾性部材
２２  緩和部材
２２１  当接凸縁
２２１１  収容溝
２２２  第一軸部
２２３  第二軸部
２２３１  第二軸部端面
２３  オーリング
２４  位置決め部材
２４１  貫通穴
３０  固定チューブ
３１  挟持部
３１１  挟持部端面
３１２  第一凹部
３１３  第二凹部
３２  固定部
３３  挿設穴
４０  止めユニット
４１  止め部材
４２  リング部材
４２１  リング本体
４２２  当接凸縁
４３  圧縮バネ
４４  位置決め部材
４５  環部材
５０  チャック
６０  刃具
６１  挿設端
６２  切削端
７０  蓋部材
７１  結合部
７２  穴部
９０  タップホルダ
９１  ホルダ本体
９１１  収容穴
９１２  位置決め穴
９２  緩和部材
９３  固定チューブ
９４  止めリング
９４１  止めリング部材
９５  チャック
９６  刃具
９７  蓋部
Ｇ  隙間
【図１】
0003203456.tif 000003
【図２】
0003203456.tif 000004
【図３】
0003203456.tif 000005
【図４】
0003203456.tif 000006
【図５】
0003203456.tif 000007
【図６】
0003203456.tif 000008
【図７】
0003203456.tif 000009